(57)【要約】【課題】構造を簡素化し、小さな駆動エネルギーで中小電流から大電流に至るまで確実に遮断可能なパッファ形ガス遮断器を提供する。【解決手段】実施形態によれば、隔壁２６を用いてシリンダ２３内を、開極動作時にアークの熱による昇圧作用により畜圧される熱的昇圧室４２と、開極動作時にシリンダ２３と固定ピストン２４との相対移動により昇圧される機械的圧縮室４３とに仕切り、隔壁２６に熱的昇圧室４２と機械的圧縮室４３を連通させる連通孔５を形成した。この連通孔５に対向する位置に連通孔５より面積が大きく、かつ連通孔５の熱的昇圧室４２側に隙間４１ａ，４１ｂを設けて邪魔板３を配置した。【選択図】図１
2014041745.tif 000002
【特許請求の範囲】
【請求項１】
消弧性ガスが充填された密閉容器と、
前記密閉容器内に配置されて第１アーク接触子を有する第１接触子部と、
前記密閉容器内に配置され、閉極時は接触導通状態にあり、開極動作時は軸方向に相対移動して開離し、軸方向に沿うアークを発生する第２アーク接触子を有する第２接触子部と、を備えるパッファ形ガス遮断器であって、
前記第１接触子部は、
前記第１アーク接触子に固定されたシリンダと、
前記シリンダ内に軸方向に相対移動可能に設けられたピストンと、
前記シリンダ内を、前記開極動作時に前記アークの熱による昇圧作用により畜圧される熱的昇圧室と、前記開極動作時に前記シリンダと前記ピストンとの相対移動により昇圧される機械的圧縮室とに仕切り、前記熱的昇圧室と前記機械的圧縮室を連通する連通孔が形成された隔壁と、
前記連通孔に対向する位置に前記連通孔より面積が大きく、かつ前記連通孔の前記熱的昇圧室側に隙間を設けて配置した邪魔板と、
を備えることを特徴とするパッファ形ガス遮断器。
【請求項２】
前記連通孔が複数形成され、これらの連通孔のそれぞれに対応して前記邪魔板を複数配置したことを特徴とする請求項１に記載のパッファ形ガス遮断器。
【請求項３】
前記連通孔が複数形成され、これらの連通孔全体に対して一つの邪魔板を配置したことを特徴とする請求項１に記載のパッファ形ガス遮断器。
【請求項４】
前記邪魔板は、前記熱的昇圧室の内周面から前記連通孔に対向する位置まで延びていることを特徴とする請求項１に記載のパッファ形ガス遮断器。
【請求項５】
前記第２アーク接触子に対して前記第１アーク接触子を軸方向に相対移動させる操作ロッドを有し、前記邪魔板が前記操作ロッドの外周面から前記連通孔に対向する位置まで延びていることを特徴とする請求項１に記載のパッファ形ガス遮断器。
【請求項６】
前記邪魔板は、その先端が前記隔壁側に屈曲して形成され、かつ前記隔壁に対して隙間を有していることを特徴とする請求項４又は５に記載のパッファ形ガス遮断器。
【発明の詳細な説明】
【技術分野】
【０００１】
本発明の実施形態は、消弧性ガスをアークに吹き付けるガス遮断器に係り、特にアーク熱による昇圧作用を利用したパッファ形ガス遮断器に関する。
【背景技術】
【０００２】
一般に、パッファ形ガス遮断器とは、機械的操作力により消弧性ガスを圧縮するとともに、アーク熱を利用して上記消弧性ガスを昇圧してアークに吹き付けるガス遮断器である。
【０００３】
このタイプのガス遮断器によれば、遮断（開極）動作時において機械的な駆動エネルギーを増大させることがないため、コンパクト化が容易であり、かつ優れた遮断性能を発揮することができる。この場合、優れた遮断性能を発揮するためには、パッファ室内の圧力をいかに上昇させ、アーク空間との間に十分な差圧を確保する必要がある。そのため、従来から様々な技術が提案されている。
【０００４】
例えば、特許文献１に記載された技術には、第１の加熱室と圧縮室との間の連通口に逆止弁を設けた構造が記載されている。この逆止弁は、第１の加熱室と圧縮室との圧力差に応じて開閉する。
【０００５】
特許文献２に記載された技術には、熱的昇圧室内を主空間と従空間に分割する分割部材を、熱的昇圧室内にガス遮断器の中心軸と平行になるように配置した構造が記載されている。
【０００６】
また、特許文献２に記載された技術は、熱的昇圧室を主空間と従空間とに仕切り、この従空間側は、ガス流路及び機械的圧縮室から隔てて配置した簡単な構造である。このような構成により、中小電流から大電流に至るまで、小さな駆動エネルギーで優れた遮断性能を得ることができる。
【０００７】
次に、従来のパッファ形ガス遮断器について、図１０〜図１３を用いて具体的に説明する。
【０００８】
図１０は遮断動作前の投入状態を示す縦断面図、図１１は遮断動作が進行し開極後の電流ピーク付近の状態を示す縦断面図、図１２及び図１３はさらに遮断動作が進行し、電流零点に至った状態を示す縦断面図である。ここで、図１２は大電流遮断時、図１３は中小電流遮断時の状態を示している。
【０００９】
なお、図１０には密閉容器５０を示しているが、図１１〜図１６では図示を省略している。また、図１０〜図１３に示す従来例では、シリンダ２３を熱的昇圧室４２と機械的圧縮室４３とに隔壁２６で仕切り、この隔壁２６に形成された開口部に逆止弁２７が設けられているパッファ形ガス遮断器について説明する。
【００１０】
はじめに、パッファ形ガス遮断器の構成について説明する。
【００１１】
図１０に示すように、消弧性ガスが充填された密閉容器５０内には、可動接触子部１として定義される第１接触子部と、固定の対向接触子部２として定義される第２接触子部が、密閉容器５０の中心軸上に対向して配置されている。
【００１２】
ここで、以下の説明では、可動接触子部１と対向接触子部２との間の空間を、アークが発生するアーク空間とする。また、可動接触子部１の位置関係については、対向接触子部２側の方向を前方、その反対側を後方と定義して説明する。さらに、消弧性ガスは、ＳＦ６などの任意のガスとする。
【００１３】
可動接触子部１には、中空の操作ロッド２１が設けられており、この操作ロッド２１は、図示しない駆動装置によって、その軸方向に往復運動するように構成されている。操作ロッド２１は、その中程に形成される中空部と、密閉容器５０内の充填ガスと同圧力である充填ガス雰囲気空間４７を連通させるための開口部４５ｅが複数形成されている。
【００１４】
操作ロッド２１の前端部には、フランジ２２が連結されている。このフランジ２２の後方には、シリンダ２３が一体的に設けられている。このシリンダ２３の中程には、開口部４５ｃが形成された隔壁２６が一体的に固着されている。この隔壁２６を介してシリンダ２３内の空間（パッファ室）は、前後に分割されている。シリンダ２３内の空間は、前方側に熱的に昇圧する熱的昇圧室４２が、後方側に機械的に圧縮する機械的圧縮室４３がそれぞれ設けられている。
【００１５】
また、隔壁２６には、上記のように開口部４５ｃが形成されている。この開口部４５ｃの熱的昇圧室４２側には、ばね２９ａにより蓄勢された浮動の逆止弁２７が設けられている。後述するように遮断動作時にアーク空間には、アーク４６が発生する。熱的昇圧室４２は、このアーク４６からの熱エネルギーにより昇圧される空間である。
【００１６】
一方、機械的圧縮室４３は、遮断動作時に固定ピストン２４による機械的圧縮作用により昇圧される空間である。また、機械的圧縮室４３内には、円形平板状に形成された固定ピストン２４が挿入されている。固定ピストン２４は、その内周面で操作ロッド２１の外周面に対して摺動するとともに、その外周面でシリンダ２３の内周面に対して摺動するように構成されている。この場合、固定ピストン２４は、その後方に一体的に設けられて軸方向に延びるピストン支持部２５によって、図示していないが密閉容器５０内に固定されている。さらに、固定ピストン２４には、開口部４５ｄが形成されている。この開口部４５ｄには、ばね２９ｂで閉方向に蓄勢された放圧弁２８が設けられている。
【００１７】
フランジ２２の前方には、中空かつ指状に形成された可動アーク接触子１１が連結されている。この可動アーク接触子１１の前方外周面と、フランジ２２及び絶縁ノズル１３の内周面との間に開口部４５ａが形成されている。すなわち、絶縁ノズル１３及び可動通電接触子１５は、開口部４５ａの外周部分に可動アーク接触子１１を包囲するように配置されている。絶縁ノズル１３は、内周面にスロート部１４が形成されている。
【００１８】
可動アーク接触子１１と絶縁ノズル１３との間には、フランジ２２の前方の開口部４５ａを経て、熱的昇圧室４２の内部空間とアーク空間を連通するための流路４４が形成されている。
【００１９】
対向接触子部２は、開口部（図示せず）を設けたフランジ（図示せず）と、このフランジに固定された対向アーク接触子１２と、その周囲に配置され同様に上記フランジに固定された対向通電接触子（図示せず）とから構成されている。
【００２０】
以上の構成を有するガス遮断器は、次のように遮断動作を実行する。
【００２１】
まず、図１０に示す遮断動作前の状態から遮断動作を開始すると、操作ロッド２１が後方に移動し、この操作ロッド２１を含む可動接触子部１が一体的に移動する。これにより、予め固定されている固定ピストン２４に対し、操作ロッド２１とシリンダ２３が一体的に移動する。すなわち、シリンダ２３と固定ピストン２４が相対移動し、シリンダ２３の内部後方に形成された機械的圧縮室４３が圧縮される。
【００２２】
遮断動作の開始時点では、隔壁２６の開口部４５ｃに取り付けられた逆止弁２７は、浮動であるので慣性力により、可動接触子部１と一体に移動しない。つまり、逆止弁２７は、相対的に前方に移動したことになる。
【００２３】
これにより、隔壁２６の開口部４５ｃは開状態となる。さらに、機械的圧縮室４３が昇圧し、機械的圧縮室４３から開口部４５ｃを経て、ガスは機械的圧縮室４３内から熱的昇圧室４２へ供給される。
【００２４】
次に、図１１に示すように遮断動作が進行し、対向アーク接触子１２と可動アーク接触子１１が開離すると、対向アーク接触子１２と可動アーク接触子１１との間のアーク空間には、アーク４６が発生する。
【００２５】
このとき、アーク４６により、アーク空間の温度、圧力は、急激に上昇する。例えば、大電流遮断時の電流が５０ｋＡの場合、アーク空間の温度は１００００Ｋ以上に達する。このため、アーク空間は、熱的昇圧室４２と比べて圧力が上昇することで、図１１に示すように絶縁ノズル１３のスロート部１４から流路４４及びフランジ２２の開口部４５ａを経て熱的昇圧室４２に至るガスの流れ５２ｂが生じる。
【００２６】
特に、大電流遮断時には、熱的昇圧室４２は著しく昇圧され、この熱的昇圧室４２と機械的圧縮室４３との間に逆差圧が生じる。このため、逆止弁２７は、後方への力が作用し、隔壁２６の開口部４５ｃは閉状態となる。
【００２７】
これに対して、中小電流遮断時（例えば、２０ＫＡ以下）には、熱的昇圧室４２は、十分に昇圧されないため、熱的昇圧室４２と機械的圧縮室４３の圧力は、比較的均衡した状態にある。したがって、逆止弁２７の動作は、熱的昇圧室４２と機械的圧縮室４３の圧力状態により変化する。
【００２８】
図１２及び図１３に示すように、さらにストロークが進み、電流零点に達すると、アーク４６は減衰する。そして、残留アークプラズマの状態となり、圧力、密度及び温度が減少する。
【００２９】
このとき、絶縁ノズル１３のスロート部１４は、十分に開口し、熱的昇圧室４２からフランジ２２の開口部４５ａを経て流路４４に向かって図１２及び図１３に示すガスの流れ５２ｅが生じる。
【００３０】
このガスの流れ５２ｅは、図１２及び図１３に示すように流路４４から対向アーク接触子１２に向かって流れるガスの流れ５２ｆと、操作ロッド２１の中空部から、操作ロッド２１に沿って後方へ流れるガスの流れ５２ｇとになる。これらの２方向のガスの流れ５２ｆ，５２ｇによってアーク４６は、相乗的に冷却されて消弧され、電流遮断が達成される。
【００３１】
ここで、図１２に示す大電流遮断時には、熱的昇圧室４２は、機械的圧縮室４３に比べて圧力が高い状態にあり、隔壁２６に取り付けられた逆止弁２７は閉状態である。
【００３２】
一方、固定ピストン２４に設けられた放圧弁２８は、機械的圧縮室４３の過剰圧力上昇により開状態となって、機械的圧縮室４３内の消弧性ガスは、機械的圧縮室４３から充填ガス雰囲気空間４７へと抜ける。これにより、機械的圧縮室４３の過剰圧力が遮断動作を妨害する反力になることを回避することができる。
【００３３】
また、図１３に示す中小電流遮断時には、熱的昇圧室４２の圧力は、電流零点近傍で次第に低下し、機械的圧縮室４３の圧力を下回るため、逆止弁２７は開状態となり、機械的圧縮室４３から熱的昇圧室４２へガスの流れが発生する。さらに、図１２及び図１３に示すように操作ロッド２１の開口部４５ｅを通過したガスの流れ５２ｈは、充填ガス雰囲気空間４７へと流れ出る。
【００３４】
以上のようなガス遮断器においては、熱的昇圧室４２と機械的圧縮室４３が相補的に作用する。すなわち、中小電流遮断時のようにアークエネルギーが小さい場合、熱的昇圧室４２では、大きな圧力上昇が期待できないため、機械的圧縮室４３の機械的な圧縮により、熱的昇圧室４２の圧力上昇を補うことができる。
【００３５】
一方、強い吹き付けが求められる大電流遮断時には、アークエネルギーが大きく、強い流れがアーク空間から熱的昇圧室４２へ供給され、この熱的昇圧室４２内の圧力は極めて高くなる。
【００３６】
この際、熱的昇圧室４２は、逆止弁２７の作用により機械的圧縮室４３から切り離されるため、熱的昇圧室４２を効率的に昇圧することが可能である。その後、アーク４６が残留アークプラズマの状態となり、絶縁ノズル１３のスロート部１４が十分に開口すると、ガスの流れ５２ｅが熱的昇圧室４２から流路４４を経てアーク空間へと流れ、確実に電流を遮断することができる。
【００３７】
なお、逆止弁２７が閉じることにより、機械的圧縮室４３へのアークエネルギーの流入が抑制されるため、機械的圧縮室４３の昇圧もある程度抑制されることになり、遮断動作を妨害する反力を抑えることができる。
【先行技術文献】
【特許文献】
【００３８】
【特許文献１】特開２００１−６７９９６号公報
【特許文献２】特開２００９−９９４９９号公報
【発明の概要】
【発明が解決しようとする課題】
【００３９】
しかしながら、以上のような従来のパッファ形ガス遮断器には、次のような問題点があった。すなわち、アークの熱エネルギーを利用することで、パッファ室内の圧力を上昇させるパッファ形ガス遮断器においては、熱的昇圧室４２と機械的圧縮室４３との圧力差は、パッファ室の圧力上昇、遮断性能に大きな影響を与える。上記圧力差が一定の値以上になったときには、逆止弁２７が開き、熱的昇圧室４２から機械的圧縮室４３へ向かう流れが生じることがある。
【００４０】
図１０〜図１３に示す従来例では、熱的昇圧室４２と機械的圧縮室４３との隔壁２６に開口部４５ｃが形成され、この開口部４５ｃに逆止弁２７が設けられているパッファ形ガス遮断器を挙げている。このガス遮断器では、開口部４５ｃに逆止弁２７が設けられているため、構造が複雑化するという問題がある。
【００４１】
そのため、図１４に示すように連通孔５に逆止弁２７が設けられておらず、連通孔５が常に開状態のパッファ形ガス遮断器も考えられる。このガス遮断器では、ガスの流れ５３ａ，５３ｂは、上記と同様に図１５に示すように連通孔５を通じて、熱的昇圧室４２から機械的圧縮室４３へガスの流れ５３ｃを生じる。  
また、このガス遮断器では、図１６に示すように固定ピストン２４の相対的な移動によるピストン圧力５４ａの一部がピストン圧力５４ｂとして連通孔５を通じて熱的昇圧室４２へ伝わる。これにより、パッファ室内の圧力回復が効果的に行われない。結果として、このガス遮断器では、パッファ室内の十分な圧力上昇を得ることができず、アーク空間に勢いよく消弧性ガスを吹き出すことができないという問題があった。
【００４２】
本発明の実施形態は、このような事情を考慮してなされたもので、構造を簡素化し、小さな駆動エネルギーで中小電流から大電流に至るまで確実に遮断可能なパッファ形ガス遮断器を提供することを目的とする。
【課題を解決するための手段】
【００４３】
上記目的を達成するために、本発明の実施形態に係るパッファ形ガス遮断器は、消弧性ガスが充填された密閉容器と、前記密閉容器内に配置されて第１アーク接触子を有する第１接触子部と、前記密閉容器内に配置され、閉極時は接触導通状態にあり、開極動作時は軸方向に相対移動して開離し、軸方向に沿うアークを発生する第２アーク接触子を有する第２接触子部と、を備えるパッファ形ガス遮断器であって、前記第１接触子部は、前記第１アーク接触子に固定されたシリンダと、前記シリンダ内に軸方向に相対移動可能に設けられたピストンと、前記シリンダ内を、前記開極動作時に前記アークの熱による昇圧作用により畜圧される熱的昇圧室と、前記開極動作時に前記シリンダと前記ピストンとの相対移動により昇圧される機械的圧縮室とに仕切り、前記熱的昇圧室と前記機械的圧縮室を連通する連通孔が形成された隔壁と、前記連通孔に対向する位置に前記連通孔より面積が大きく、かつ前記連通孔の前記熱的昇圧室側に隙間を設けて配置した邪魔板と、を備えることを特徴とする。
【図面の簡単な説明】
【００４４】
【図１】本発明に係るパッファ形ガス遮断器の一実施形態を示す縦断面図である。
【図２】図１の隔壁及び邪魔板を示す横断面図である。
【図３】図１の実施形態において開極から電流零点の間の状態を示す縦断面図である。
【図４】図１の実施形態において電流零点の状態を示す縦断面図である。
【図５】図２の邪魔板の第１変形例を示す横断面図である。
【図６】図２の邪魔板の第２変形例を設けたパッファ形ガス遮断器を示す縦断面図である。
【図７】図２の邪魔板の第３変形例を設けたパッファ形ガス遮断器を示す縦断面図である。
【図８】図２の邪魔板の第４変形例を設けたパッファ形ガス遮断器を示す縦断面図である。
【図９】図２の邪魔板の第５変形例を設けたパッファ形ガス遮断器を示す縦断面図である。
【図１０】従来のパッファ形ガス遮断器において遮断動作前の投入状態を示す縦断面図である。
【図１１】図１０のパッファ形ガス遮断器において開極後の電流ピーク付近の状態を示す縦断面図である。
【図１２】図１０のパッファ形ガス遮断器において電流零点、大電流遮断時の状態を示す縦断面図である。
【図１３】図１０のパッファ形ガス遮断器において電流零点、中小電流遮断時の状態を示す縦断面図である。
【図１４】従来の他のパッファ形ガス遮断器において遮断動作前の状態を示す縦断面図である。
【図１５】従来の他のパッファ形ガス遮断器において遮断動作初期の状態を示す縦断面図である。
【図１６】従来の他のパッファ形ガス遮断器において遮断動作初期の状態を示す縦断面図である。
【発明を実施するための形態】
【００４５】
以下に、本発明に係るパッファ形ガス遮断器の実施形態について、図面を参照して説明する。
【００４６】
図１は本発明に係るパッファ形ガス遮断器の第１実施形態を示す縦断面図である。図２は図１の隔壁及び邪魔板を示す横断面図である。図３は図１の実施形態において開極から電流零点の間の状態を示す縦断面図である。図４は図１の実施形態において電流零点の状態を示す縦断面図である。
【００４７】
なお、以下の実施形態において、図１０〜図１６と同一の部分には、同一の符号を付して重複する説明を省略する。また、図１には密閉容器５０を示しているが、図３〜図４及び図６〜図９では図示を省略している。
【００４８】
図１に示すように、消弧性ガスであるＳＦ６が充填された密閉容器５０内には、第１接触子部としての可動接触子部１と、第２接触子部としての対向接触子部２とが対向配置されている。
【００４９】
可動接触子部１には、中空の操作ロッド２１が設けられている。この操作ロッド２１は、図示しない駆動装置により軸方向に往復運動可能である。操作ロッド２１は、その中空部と、密閉容器５０内の充填ガスと同圧力である充填ガス雰囲気空間４７を連通させるための開口部４５ｄが複数形成されている。
【００５０】
操作ロッド２１の前端部には、フランジ２２が連結されている。このフランジ２２の後方には、シリンダ２３が一体的に設けられている。このシリンダ２３の中程には、隔壁２６が一体的に固着されている。
【００５１】
シリンダ２３内の空間（パッファ室）は、隔壁２６を介して前後に分割されている。シリンダ２３内の空間は、前方側に熱的に昇圧する熱的昇圧室４２が、後方側に機械的に圧縮する機械的圧縮室４３がそれぞれ設けられている。
【００５２】
隔壁２６には、図２に示すように同一円上に一定の間隔をおいて周方向に４つの連通孔５が形成されている。これらの連通孔５に対向する位置には、それぞれ邪魔板３が配置されている。
【００５３】
具体的には、邪魔板３は、隔壁２６の熱的昇圧室４２側に、隔壁２６との間に隙間４１ａ，４１ｂを設けるようにして設置されている。邪魔板３は、連通孔５の開口縁に設けられた複数の支持部４により隔壁２６に取り付けられている。邪魔板３は、連通孔５より面積が大きく形成され、図２に示すように軸方向からみて連通孔５を被うように設置されている。
【００５４】
後述するように遮断（開極）動作時にアーク空間には、図３に示すようにアーク４６が発生する。このアーク４６からの熱エネルギーにより熱的昇圧室４２は、昇圧される空間である。一方、機械的圧縮室４３は、遮断動作時に固定ピストン２４による機械的圧縮作用により昇圧される空間である。機械的圧縮室４３内には、円形平板上の固定ピストン２４が挿入されている。
【００５５】
固定ピストン２４は、その内周面で操作ロッド２１の外周面に対して摺動するとともに、その外周面でシリンダ２３の内周面に対して摺動するように構成されている。固定ピストン２４には、開口部４５ｄが形成されている。この開口部４５ｄには、ばね２９ｂで閉方向に蓄勢された放圧弁２８が設けられている。
【００５６】
フランジ２２の前方には、中空かつ指状に形成された第１アーク接触子としての可動アーク接触子１１が連結されている。絶縁ノズル１３及び可動通電接触子１５は、開口部４５ａの外周部分に可動アーク接触子１１を包囲するように配置されている。絶縁ノズル１３は、内周面にスロート部１４が形成されている。
【００５７】
可動アーク接触子１１と絶縁ノズル１３との間には、フランジ２２の前方の開口部４５ａと連通する流路４４が形成されている。
【００５８】
対向接触子部２は、図示しないフランジに固定された第２アーク接触子としての対向アーク接触子１２を備えている。
【００５９】
次に、本実施形態の作用を説明する。
【００６０】
電流遮断（開極）時から電流零点の間では、図３に示すようにアーク４６による熱エネルギーから生じたガスの流れ５１ａは、流路４４を通じて開口部４５ａから熱的昇圧室４２内へ流入する。
【００６１】
このとき、開口部４５ａから熱的昇圧室４２内に流入したガスの流れ５１ｂの一部であるガスの流れ５１ｃは邪魔板３に衝突し、ガスの流れ５１ｄを生じる。このように隔壁２６の熱的昇圧室４２側に邪魔板３を設置したことで、熱的昇圧室４２から機械的圧縮室４３内に連通孔５を通じて流れが流入しにくくなる。
【００６２】
また、固定ピストン２４の相対的な移動により生じたピストン圧力５４ａの一部であるピストン圧力５４ｂは、連通孔５を通り邪魔板３に衝突し、熱的昇圧室４２内へ伝わりにくくなる。このように邪魔板３を設置することで、熱的昇圧室４２から機械的圧縮室４３への流れが抑制され、またピストン圧力５４ａが熱的昇圧室４２へ伝わりにくくなる。これにより、パッファ室内の圧力損失が減少し、効率よく圧力回復が行われ、十分な圧力上昇を行うことができるようになる。
【００６３】
また、電流零点時では、パッファ室からアーク４６へ向かう流れが必要になる。このとき、図４に示すように隔壁２６と邪魔板３との間には、隙間４１ａ，４１ｂが設けられているため、ガスの流れ５１ｊ，５１ｉを生じ、機械的圧縮室４３から熱的昇圧室４２へのガスの流れ５１ｊ，５１ｉが妨げられるようなことはない。
【００６４】
そして、図４に示すガスの流れ５１ｅは、流路４４を通り、アーク４６へ吹き付けられ、ガスの流れ５１ｆ，５１ｇを生じ下流へ運ばれる。このガスの流れ５１ｇは、開口部４５ｅを通じてガスの流れ５１ｈとなり、充填ガス雰囲気空間４７へ排出される。
【００６５】
このように本実施形態によれば、熱的昇圧室４２から機械的圧縮室４３への流れを防ぎ、また、固定ピストン２４の相対的な移動の圧力の影響が熱的昇圧室４２へ伝わりにくくなり、効率よくパッファ室内の圧力上昇が行われるようになる。その結果、パッファ室とアーク空間との間に大きな差圧を確保し、消弧性ガスを勢いよくアーク４６に吹付けることができるようになる。
【００６６】
すなわち、本実施形態によれば、アーク４６の熱エネルギーから生じたガスの流れを最大限に利用することができ、熱的昇圧室４２内の圧力回復を効率よく行い、熱的昇圧室４２内の圧力を上昇させることができる。その結果、熱的昇圧室４２とアーク空間との間に十分な差圧を確保し、消弧性ガスを勢いよくアーク４６に吹き出すことができる。よって、小さな駆動エネルギーで中小電流から大電流に至るまで確実に遮断可能となる。
【００６７】
また、本実施形態によれば、邪魔板３を設けることで、逆止弁を設ける必要がなくなるため、構造を簡素化することができる。
【００６８】
（第１変形例）
図５は図２の邪魔板の第１変形例を示す横断面図である。なお、以下の変形例では、前記実施形態と同一の部分に同一の符号を付して説明する。
【００６９】
前記実施形態では、４つの連通孔５に対してそれぞれ邪魔板３を配置していたが、図５に示す第１変形例では、円環状に形成された邪魔板３ａを４つの連通孔５全体を被うように対向して設置している。
【００７０】
邪魔板３ａは、前記実施形態の邪魔板３と同様に、隔壁２６の熱的昇圧室４２側に、複数の支持部４により取り付けられている。隔壁２６に対する邪魔板３ａの隙間は、ガス遮断器の中心軸に対して径方向及び周方向の双方に設けている。
【００７１】
このように第１変形例によれば、邪魔板３ａを４つの連通孔５全体を被うように円環状に形成したことにより、構造を簡素化することができる。
【００７２】
（第２変形例）
図６は図２の邪魔板の第２変形例を設けたパッファ形ガス遮断器を示す縦断面図である。
【００７３】
前記実施形態及び第１変形例では、邪魔板３，３ａを隔壁２６に取り付けたが、第２変形例の邪魔板３ｂは、シリンダ２３の内壁、特に熱的昇圧室４２の内壁に設置されている。邪魔板３ｂは、隔壁２６に対して隙間４１ｃを設けるように設置されている。邪魔板３ｂは、熱的昇圧室４２の内周面から内周方向に連通孔５に対向する位置まで延びている。
【００７４】
このように第２変形例では、熱的昇圧室４２の内周面から連通孔５に対向する位置まで延びるように邪魔板３ｂを設置したことにより、邪魔板３ｂを複数の支持部４により取り付けることがなくなり、容易に取り付けが可能となる。
【００７５】
（第３変形例）
図７は図２の邪魔板の第３変形例を設けたパッファ形ガス遮断器を示す縦断面図である。
【００７６】
第３変形例の邪魔板３ｃは、操作ロッド２１の外周面から外周方向に連通孔５に対向する位置まで延びている。邪魔板３ｃは、隔壁２６に対して隙間４１ｄを設けるように設置されている。
【００７７】
このように第３変形例では、操作ロッド２１の外周面から連通孔５に対向する位置まで延びるように邪魔板３ｃを設置したことにより、第２変形例と同様に邪魔板３ｃを複数の支持部４により取り付けることがなくなり、容易に取り付けが可能となる。
【００７８】
（第４変形例）
図８は図２の邪魔板の第４変形例を設けたパッファ形ガス遮断器を示す縦断面図である。
【００７９】
第４変形例の邪魔板３ｄは、操作ロッド２１の外周面から外周方向に連通孔５に対向する位置まで延びている。邪魔板３ｄは、その先端が隔壁２６側に屈曲して形成され、かつ隔壁２６に対して隙間４１ｅを有している。
【００８０】
このように第４変形例では、邪魔板３ｄの先端が隔壁２６側に屈曲して形成されているので、前記第３変形例と比べて、熱的昇圧室４２から機械的圧縮室４３へのガスの流れを防止する効果と、固定ピストン２４の相対的な移動による圧力の影響が機械的圧縮室４３から熱的昇圧室４２へ伝わるのを防ぐ効果を高めることが可能となる。
【００８１】
（第５変形例）
図９は図２の邪魔板の第５変形例を設けたパッファ形ガス遮断器を示す縦断面図である。
【００８２】
第５変形例の邪魔板３ｅは、熱的昇圧室４２の内周面から内周方向に連通孔５に対向する位置まで延びている。邪魔板３ｅは、その先端が隔壁２６側に屈曲して形成され、かつ隔壁２６に対して隙間４１ｆを有している。
【００８３】
このように第５変形例では、前記第２変形例と比べて、熱的昇圧室４２から機械的圧縮室４３へのガスの流れを防止する効果と、固定ピストン２４の相対的な移動による圧力の影響が機械的圧縮室４３から熱的昇圧室４２へ伝わるのを防ぐ効果を高めることが可能となる。
【００８４】
したがって、第１変形例〜第５変形例によれば、隔壁２６の熱的昇圧室４２側に連通孔５に対向するように邪魔板３ａ〜３ｅを配置し、隔壁２６との間に隙間４１ａ〜４１ｆを設けるように邪魔板３を設置したことにより、パッファ室内の圧力回復を行っている過程では、熱的昇圧室４２から機械的圧縮室４３へのガスの流れを防止することができる。
【００８５】
また、第１変形例〜第５変形例によれば、固定ピストン２４の相対的な移動による圧力の影響が機械的圧縮室４３から熱的昇圧室４２へ伝わるのを防ぎ、効率よくパッファ室内の圧力を上昇させることができる。そして、電流零点時では、機械的圧縮室４３から熱的昇圧室４２への流れを妨げることなく、パッファ室からアーク４６へ消弧性ガスを吹き出すことができる。
【００８６】
その結果、パッファ室とアーク空間との間に大きな差圧を確保することができ、かつ勢いよく消弧性ガスをアーク４６に吹き付けることができる。
【００８７】
以上のように本発明の実施形態及び変形例を説明したが、これらの実施形態及び変形例は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これらの実施形態やその変形例は、発明の範囲や要旨に含まれるとともに、特許請求の範囲に記載された発明とその均等の範囲に含まれる。
【００８８】
なお、上記実施形態では、消弧性ガスとしてＳＦ６を用いた場合について説明したが、これに限らずＳＦ６以外の消弧性ガスを適用したガス遮断器にも適用可能である。
【００８９】
また、上記実施形態では、隔壁２６に４つの連通孔５を形成した例について説明したが、隔壁２６の平面内において規則的に配置されていれば、連通孔５の数や配置する位置は特に限定されない。
【００９０】
さらに、上記実施形態では、隙間４１ａ，４１ｂを周方向及び径方向に設けたが、これに限らず第１変形例のように径方向だけに設けてもよい。したがって、隙間は、径方向及び周方向の少なくとも一方に設ければよい。
【符号の説明】
【００９１】
１…可動接触子部（第１接触子部）、２…対向接触子部（第２接触子部）、３…邪魔板、４…支持部、５…連通孔、１１…可動アーク接触子（第１アーク接触子）、１２…対向アーク接触子（第２アーク接触子）、１３…絶縁ノズル、１４…スロート部、１５…可動通電接触子、２１…操作ロッド、２２…フランジ、２３…シリンダ、２４…固定ピストン、２５…ピストン支持部、２６…隔壁、２７…逆止弁、２８…放圧弁、２９ａ…ばね、２９ｂ…ばね、４１ａ〜４１ｆ…隙間、４２…熱的昇圧室、４３…機械的圧縮室、４４…流路、４５ａ，４５ｃ〜４５ｅ…開口部、４６…アーク、４７…充填ガス雰囲気空間、５０…密閉容器、５１ａ〜５１ｊ…ガスの流れ、５２ａ〜５２ｈ…ガスの流れ、５３ａ〜５３ｃ…ガスの流れ、５４ａ，５４ｂ…ピストン圧力
【図１】
2014041745.tif 000003
【図２】
2014041745.tif 000004
【図３】
2014041745.tif 000005
【図４】
2014041745.tif 000006
【図５】
2014041745.tif 000007
【図６】
2014041745.tif 000008
【図７】
2014041745.tif 000009
【図８】
2014041745.tif 000010
【図９】
2014041745.tif 000011
【図１０】
2014041745.tif 000012
【図１１】
2014041745.tif 000013
【図１２】
2014041745.tif 000014
【図１３】
2014041745.tif 000015
【図１４】
2014041745.tif 000016
【図１５】
2014041745.tif 000017
【図１６】
2014041745.tif 000018